(57)【特許請求の範囲】
【請求項１】
所定の区域に配設されストロボ発光を禁止する信号を電波若しくは光の何れかにより送信する送信機からの該信号を該区域で受信する受信手段と、
前記受信手段により受信した前記信号に基づいてストロボ発光を禁止すべく制御する制御手段と、
を備えたことを特徴とするカメラ。
【請求項２】
ストロボ発光を禁止する表示を行う表示手段を備えたことを特徴とする請求項１に記載のカメラ。
【請求項３】
所定の区域に配設され撮影を禁止する信号を電波若しくは光の何れかにより送信する送信機からの該信号を該区域で受信する受信手段と、
前記受信手段により受信した前記信号に基づいて撮影を不可能にすべく制御する制御手段と、
を備えたことを特徴とするカメラ。
【請求項４】
撮影を不可能にする表示を行う表示手段を備えたことを特徴とする請求項３に記載のカメラ。
【請求項５】
受信したストロボ発光を禁止する信号に基づいてストロボ発光を禁止すべく制御するカメラに対し、所定の区域に配設され前記信号を電波若しくは光の何れかにより送信することを特徴とする送信機。
【請求項６】
受信した撮影を禁止する信号に基づいて撮影を不可能にすべく制御するカメラに対し、所定の区域に配設され前記信号を電波若しくは光の何れかにより送信することを特徴とする送信機。
【請求項７】
前記カメラより送信指令があったときのみ前記信号を送信することを特徴とする請求項５又は請求項６に記載の送信機。
【請求項８】
前記所定の区域における人の在否を判別する在否判別手段を設け、該在否判別手段が人が存在することを感知したときのみ前記信号を送信することを特徴とする請求項５又は請求項６に記載の送信機。
【請求項９】
所定の区域に配設されストロボ発光を禁止する信号を電波若しくは光の何れかにより送信する送信機、及び
前記送信機からの前記信号を前記区域で受信する受信手段と、前記受信手段により受信した前記信号に基づいてストロボ発光を禁止すべく制御する制御手段と、を備えたカメラ、
から構成されたことを特徴とする信号伝送システム。
【請求項１０】
所定の区域に配設され撮影を禁止する信号を電波若しくは光の何れかにより送信する送信機、及び
前記送信機からの前記信号を前記区域で受信する受信手段と、前記受信手段により受信した前記信号に基づいて撮影を不可能にすべく制御する制御手段と、を備えたカメラ、
から構成されたことを特徴とする信号伝送システム。
【発明の詳細な説明】
【０００１】
【産業上の利用分野】
本願発明は、美術館等の所定の区域に送信機を設置し、該送信機から送信された信号を受信するカメラに関するものである。
【０００２】
【従来の技術】
写真撮影を行うとき、その撮影する場所に応じた特定の撮影モードで撮影した方が、よりよい写真撮影が行えることが多い。例えば、速度優先ＡＥと絞り優先ＡＥとの２つのモードを選択ができるカメラを持って遊園地に行き、ジェットコースター等の乗物に乗っている人を撮るときは被写体ブレがないように速度優先ＡＥを選択した方がよい。スキー場等での撮影も同様である。また、背景に美しい山野がある場所での記念写真では、人物にも背景にもピントを合わせたいので、絞り優先ＡＥの方がよい。他に、フィルム給送モードとして、ノーマルモードとサイレントモードの選択ができるカメラでは、式場等においてはサイレントモードを選択した方がよいし、画面サイズ切替えモードがあるカメラを持って広大な風景の観光地で撮影するときは、パノラマモードを選択した方がよい。このように撮影する場所により、適切な撮影モードを選択すべきであるが、カメラに精通していない人にはどのモードを選択してよいか判断が困難である。
【０００３】
また、ストロボ撮影は禁止するがＡＥ撮影は許される美術館等で撮影する場合、ストロボ禁止モードに設定すればよいが、モード設定が分からない撮影者は、暗い所では自動的にストロボが発光する自動発光モードで撮影してしまう。
【０００４】
更に、滝などを撮る場合、高速シャッタでは飛沫が静止して撮影され、低速シャッタでは糸を引いたように撮影されるが、経験のない撮影者にはどのようなシャッタ速度で撮影してよいか分からない。
【０００５】
【発明が解決しようとする課題】
以上のように、撮影者が適切なモード切替えをすることができないと、美術館等のストロボ撮影禁止の場所でもストロボ撮影をしてしまうといったことが生じる。本願発明はこのようなことがないように、撮影者がカメラを熟知していなくとも、所定の区域に応じた適切な制御が自動的になされ、また、その結果が予測できる表示がされるカメラを提案するものである。
【０００６】
【課題を解決するための手段】
上記目的は下記の手段によって達成される。
（１）所定の区域に配設されストロボ発光を禁止する信号を電波若しくは光の何れかにより送信する送信機からの該信号を該区域で受信する受信手段と、前記受信手段により受信した前記信号に基づいてストロボ発光を禁止すべく制御する制御手段と、を備えたことを特徴とするカメラ。
（２）所定の区域に配設され撮影を禁止する信号を電波若しくは光の何れかにより送信する送信機からの該信号を該区域で受信する受信手段と、前記受信手段により受信した前記信号に基づいて撮影を不可能にすべく制御する制御手段と、を備えたことを特徴とするカメラ。
（３）受信したストロボ発光を禁止する信号に基づいてストロボ発光を禁止すべく制御するカメラに対し、所定の区域に配設され前記信号を電波若しくは光の何れかにより送信することを特徴とする送信機。
（４）受信した撮影を禁止する信号に基づいて撮影を不可能にすべく制御するカメラに対し、所定の区域に配設され前記信号を電波若しくは光の何れかにより送信することを特徴とする送信機。
（５）所定の区域に配設されストロボ発光を禁止する信号を電波若しくは光の何れかにより送信する送信機、及び前記送信機からの前記信号を前記区域で受信する受信手段と、前記受信手段により受信した前記信号に基づいてストロボ発光を禁止すべく制御する制御手段と、を備えたカメラ、から構成されたことを特徴とする信号伝送システム。
（６）所定の区域に配設され撮影を禁止する信号を電波若しくは光の何れかにより送信する送信機、及び前記送信機からの前記信号を前記区域で受信する受信手段と、前記受信手段により受信した前記信号に基づいて撮影を不可能にすべく制御する制御手段と、を備えたカメラ、から構成されたことを特徴とする信号伝送システム。
【０００７】
【実施例】
本願発明の実施例を、図１乃至図７により詳細に説明する。
【０００８】
図１は遊園地におけるジェットコースターに乗っている人を撮影している略図であり、撮影者１がカメラ２にてジェットコースターに乗っている被写体３を撮影している。このような撮影のとき、速度優先ＡＥと絞り優先ＡＥの２つのモードを選択できるカメラであれば、被写体ブレをなくすため、速度優先モードで高速シャッタを切るのがよい。このモード選択を撮影者が操作しなくても自動的にカメラが選択できるようにしたのが、第１の実施例である。ジェットコースターの近くには、送信機４が設置されており、送信機４より速度優先ＡＥモードを選択する電波を発信し、その電波をカメラが受信して自動的に速度優先ＡＥモードを選択するものである。この場合、送信機より送信される電波に代え光を発光させ、その光をカメラが受光するようにしてもよい。
【０００９】
このように速度優先ＡＥモードを選択した方がよい場所はジェットコースター等の高速の乗物がある遊園地があるが、他にスキー場、スケート場、各種運動競技場、自動車レース場、競馬場等限りなくある。
【００１０】
また、絞り優先ＡＥモードを選択した方がよい撮影場所もある。例えば、背景に美しい山野、湖、建築物等がある場所で記念写真を撮るときは、被写体の人物にも背景にもピントを合わせたいので、絞り優先ＡＥモードにして小絞り撮影をしたほうがよい。
【００１１】
更に、選択するモードは速度優先ＡＥや絞り優先ＡＥの露出モードに限らず、カメラの各種のモードに適用できる。例えば、式場、学校の学芸会、劇場等においては、カメラの巻上げ音は非常にうるさく感じられるので、巻上げを低速にし音を小さくした所謂サイレントモードのあるカメラのみ撮影を許可し、会場よりサイレントモードの信号を送信することにより、強制的にカメラをノーマル巻上げモードからサイレントモードに切り替えることもできる。他に、被写体が広大な風景の観光地であれば、パノラマモード信号を送信し、カメラの画面サイズを標準サイズからパノラマサイズに切り替えることもできる。
【００１２】
以上の例は撮影地の情報を信号として送信するものであるが、同じ撮影地においても時間により異なった撮影モードで撮影した方がよい場合がある。即ち、人物と背景の風景とを同時に適正露出で撮影したい場合、日中では遠近ともＡＥ撮影で良いが、夕方や夜間では遠距離の風景はＡＥの打ち切り秒時を解除した低速シャッタで撮影し、近距離の人物はストロボ光で撮影する所謂スローシンクロ撮影をした方が良い。従って、日中ではＡＥモード、夕方や夜間ではスローシンクロモードの信号を送信機より送信し、その信号をカメラが受信して自動的にモード切替えを行う。また、必要に応じて、季節や天候によって異なるモード信号を送信機より送信することもできる。その１例として、色温度の変化を撮影信号とすることができる。
【００１３】
図２は第１の実施例のブロック図であり、２０は送信機、３０はカメラに設けた受信機である。送信機２０には上記の各種モードを記憶しているＣＰＵ２１があり、その場所に応じたモード信号を、送信回路２２に送り、送信部２３にて電波による発信または光による発光を行う。２４は場所により特有の撮影モードがあるので、その撮影モードのみ送信するように撮影モードを選択するモード選択手段である。送信部２３より電波を受信または光を受光した受信部３１は受信回路３２により撮影モード信号をカメラＣＰＵ３３に入力し、その撮影モード信号を選択する。
【００１４】
なお、モード信号は常に送信せず、カメラより送信指令があったときのみ送信するように構成することもできる。
【００１５】
また、２５は人の在否判定手段であり、所定の区域内に人がいるか、いないかを赤外線又は超音波を用いて感知し、その情報をＣＰＵ２１に入力し、人がいるときのみモード信号を送信するものである。
【００１６】
図３は第１の実施例のカメラ内部のフローチャートである。受信した信号（１０１）により適切なモードをセットし（１０２〜１０７）、撮影（１０８〜１０９）を行う。同図においては、シャッタ優先、絞り優先、サイレントモードのみ描かれているが、これらのモードに限定されることはなく、どのような撮影モードを用いてもよい。
【００１７】
図４は第２の実施例のフローチャートであり、ショールームや展示館等の室内において、送信機からの信号により、ストロボ発光を制御するカメラに関するものである。本実施例の撮影モードは、４つの撮影モードに分けている。即ち、
ＥＦ許容モード…普通にストロボ撮影ができるモード
ＥＦ不適モード…ストロボ光の届かない遠距離、又はショーケースの中等のストロボ撮影に不適なモード
ＥＦ禁止モード…いかなる場合もストロボ撮影を禁止するモード
撮影禁止モード…いかなる場合も全ての撮影を禁止するモード。
【００１８】
また、ＥＦモードとして、低輝度自動発光モード、ストロボ強制発光モード、及びストロボ発光停止モードの３つのモードがある。
【００１９】
同図において、ＳＴＡＲＴ後、撮影モードをＥＦ許容モードに、ＥＦモードを自動発光モードに初期設定（２０１）する。次に、５００ｍｓの時間測定を行うタイマーをスタート（２０２）させ、カメラから送信機へ信号の発信又は発光を促す送信機スタート信号を出力（２０３）し、送信機からの信号を受信（２０４）する。５００ｍｓ以内に信号を受信しないときには、再度送信機スタート信号を出力（２０３）するが、５００ｍｓ以上経過しても信号を受信しないときには、撮影モードの制御は行わない。５００ｍｓ以内に送信機から撮影モード信号を受信したときには、その撮影モードをカメラ内に自動設定（２０６）し、その後撮影者が被写体の撮影条件により３つのＥＦモードの何れかを選択し、手動で設定（２０７）する。このようにして撮影準備が完了した後、レリーズボタンを半押しする（２０８）と、設定された撮影モードがＥＦ許容モードのときは（２０９の０）、そのままＥＦ撮影（２１８）を行い、撮影禁止モードのときは（２０９の３）、撮影禁止表示（２１０）を行い、パワーＯＦＦ（２１１）する。また、ＥＦ不適モード又はＥＦ禁止モードのときは（２０９の１，２）、撮影モード（２１２）に行き、ＥＦ不適モードのとき（２１２の１）はＥＦ不適表示（２１３）を行い、ＥＦモード（２１４）により、強制発光モードのとき（２１４の１）は発光させ、自動発光モードと発光停止モードのときは（２１４の０，２）発光停止モード（２１５）にして撮影（２１８）する。
【００２０】
撮影モードが発光停止モード（２１２の２）のときは、ＥＦ禁止表示（２１６）を行い、同様に発光停止モード（２１７）にして撮影（２１８）する。
【００２１】
図５は第３の実施例のフローチャートであり、美術館等で撮影可能な場所のみ送信機を設け、送信機からの信号により制御を行い、送信機のない場所では撮影が出来ないようしたカメラに関するものである。
【００２２】
本実施例の撮影モード及びＥＦモードは第２の実施例と同じである。
【００２３】
同図において、ＳＴＡＲＴ後、撮影モードを撮影禁止モードに、ＥＦモードを自動発光モードに初期設定（３０１）する。次に、５００ｍｓの時間測定を行うタイマーをスタート（３０２）させ、カメラから送信機へ信号の発信又は発光を促す送信機スタート信号を出力（３０３）し、モード信号を受信（３０４）する。送信機スタート信号発信より５００ｍｓ以内に信号を受信しないとき（３０５のＮ）には再度送信機スタート信号を出力（３０３）し、５００ｍｓ以上経過しても信号を受信しないとき（３０５のＹ）には撮影禁止表示（３０６）を行い、パワーＯＦＦ（３０７）する。撮影モードを受信したときには（３０４のＹ）、受信した撮影モードをカメラが自動設定（３０８）し、撮影者が被写体の撮影条件により３つのＥＦモードの何れかを選択し、手動で設定（３０９）する。このようにして撮影準備が完了した後、レリーズボタンを半押し（３１０）し、受信した撮影モードがＥＦ不適モードのとき（３１１の１）は、ＥＦ不適表示（３１２）を行った後、ＥＦモード（３１３）により、強制発光モードのとき（３１３の１）は発光させ、自動発光モードと発光停止モードのとき（３１３の０，２）は発光停止モード（３１４）にして撮影（３１７）する。撮影モードがＥＦ禁止モード（３１１の２）のときは、ＥＦ禁止表示（３１５）を行い、同様に発光停止モード（３１６）にして撮影（３１７）する。
【００２４】
なお、第３の実施例の変形例として、撮影可能な場所には送信機がなく、撮影禁止の場所のみ送信機を設置して、カメラが撮影禁止信号を受信したときは、ストロボ発光に関係なく撮影不可能にすることもできる。
【００２５】
図６及び図７は、第４の実施例のブロック図及びフローチャートである。本実施例は、被写体により複数の撮影条件でそれぞれ特徴のある撮影が可能であるが、撮影者がその条件設定が判りにくい場合、撮影地に設置した送信機から複数の信号をカメラが受信し、カメラに表示した撮影条件から好みの撮影条件を選定するものである。例えば、滝などを撮る場合、高速シャッタでは飛沫が静止して撮影され、低速シャッタでは流れが糸を引いたように撮影されるが、経験の乏しい撮影者にはシャッタ速度の選定が難しい。このようなとき、飛沫が静止のとき１／１０００秒、流れが糸を引くとき２秒の如く、カメラに表示されれば、撮影者が判断し易い。
【００２６】
図６は第４の実施例のブロック図であり、４０は送信機、５０はカメラに設けた受信機である。送信機４０には上記の各種撮影条件のモードを記憶しているＣＰＵ４１があり、その場所に応じた複数のモード信号を、送信回路４２に送り、送信部４３にて電波による発信または光による発光を行う。４４は場所により特有の撮影モードがあるので、その撮影モードのみ送信するように撮影モードを設定するモード群設定手段である。送信部４３より電波を受信または光を受光した受信部５１は受信回路５２により撮影モード信号をカメラＣＰＵ５３に入力する。その撮影モード信号に基づいて、複数の撮影モードをモード表示手段５４にて表示し、希望するモードを選択し、モード設定手段５５により設定する。
【００２７】
図７は第４の実施例のカメラ内部のフローチャートである。モードリセット（４０１）にて、ＣＰＵ５３に記憶していた露出モードをクリアーし、送信機４０から複数の信号を受信（４０２）する。本実施例は、３種類のシャッタ速度が信号として送られてくる例であり、送られてきた第１のシャッター速度が１／１０００秒であり、露出モード１（４０３）でＣＰＵ５３が使用可能と判断したときは、露出モード１記憶（４０４）でＣＰＵ５３に記憶する。送られてきた第２のシャッター速度が２秒であり、露出モード２（４０５）でＣＰＵ５３が使用可能と判断したときは、同様に露出モード２記憶（４０６）でＣＰＵ５３に記憶する。また、送られてきた第３のシャッター速度が１／８０００秒であり、撮影するカメラにこのような高速シャッタが付いていないときは、露出モード３（４０７）でＣＰＵ５３が使用不可能と判断し、露出モード３記憶（４０８）へ行かず、ＣＰＵ５３に記憶されない。このように、ＣＰＵ５３に記憶された露出モードのみ記憶露出モード表示（４０９）で表示し、その表示に基づいて撮影者が好みのモードを選択（４１０）し、シャッタレリーズ（４１１）して撮影（４１２）することになる。
【００２８】
【発明の効果】
以上詳細に説明したように、撮影者がカメラを熟知していなくても、美術館等の撮影禁止の場所では撮影ができず、ストロボ撮影禁止の場所ではストロボが発光しないという制御をカメラが自動的に行うので、撮影禁止の指示を故意に侵して撮影したり、ストロボ撮影禁止にも係わらず自動発光でストロボ発光をしてしまうことがない。
【図面の簡単な説明】
【図１】ジェットコースターに乗っている人を撮影している略図である。
【図２】第１の実施例のブロック図である。
【図３】第１の実施例のフローチャートである。
【図４】第２の実施例のフローチャートである。
【図５】第３の実施例のフローチャートである。
【図６】第４の実施例のブロック図である。
【図７】第４の実施例のフローチャートである。
【符号の説明】
２０，４０  送信機
２１，４１  送信機ＣＰＵ
２２，４２  送信回路
２３，４３  送信部
３０，５０  カメラに設けた受信機
３１，５１  受信部
３２，５２  受信回路
３３，５３  カメラＣＰＵ
５４  モード表示手段
５５  モード設定手段
【図１】
0003588724.tif 000002
【図２】
0003588724.tif 000003
【図３】
0003588724.tif 000004
【図４】
0003588724.tif 000005
【図５】
0003588724.tif 000006
【図６】
0003588724.tif 000007
【図７】
0003588724.tif 000008